(57)【要約】【課題】  ディスプレイにＴＶ画面やメニューバーを含む画面などを表示させることができる端末装置を提供する。【解決手段】  端末装置には、ＲＯＭ上画面として、メニューバー等を含む画面が記憶される。またＲＯＭには代替画像Ａと代替画像Ｂとが記録されている。メニューバーには、通常はバナー広告などが表示されるが、ネットワークに接続できないときなどにはこれら代替画面Ａ，Ｂがエラー表示の代わりにメニューバーに表示される。メニューバーの下には、テレビ映像が表示される。【選択図】        図５
2005176403.tif 000002
【特許請求の範囲】
【請求項１】
ブラウザ機能と、ブラウザ上にテレビ画面を貼付けるピクチャインピクチャ機能を内蔵した端末装置であって、
装置全体の制御を行なうＣＰＵと、
ＴＶチューナと、
メニューバーを含む画面を記憶する記憶手段と、
前記ピクチャインピクチャ機能により、ディスプレイに、前記記憶手段に記憶させたメニューバーを含む画面と、テレビ映像画面とを表示し、前記メニューバー内にバナー広告としてインターネットから得られた画面を表示し、かつインターネットの接続が不良である場合には代替画面を表示する表示手段とを備えた、端末装置。
【請求項２】
前記表示手段は、ユーザからの指示により、テレビ画面のみの映像またはＷｅｂ画面を表示する、請求項１に記載の端末装置。
【請求項３】
ブラウザ機能と、ブラウザ上にテレビ画面を貼付けるピクチャインピクチャ機能を内蔵した端末装置であって、
装置全体の制御を行なうＣＰＵと、
ＴＶチューナと、
メニューバーを含む画面を記憶する記憶手段と、
前記ピクチャインピクチャ機能により、ディスプレイに、前記記憶手段に記憶させたメニューバーを含む画面と、テレビ映像画面とを表示する表示手段と、
入力ラインとを備え、
前記入力ラインの信号は、前記ディスプレイに表示されている番組を示し、
前記入力ラインの信号とグループ分けとに応じて、その番組に対応するグループの課金体系を採用する手段と、
前記採用されたグループの課金体系に基づいて、前記受付手段で課金を行なう課金手段とを備えた、端末装置。
【発明の詳細な説明】
【技術分野】
【０００１】
この発明は端末装置に関し、特にテレビ画面やＷｅｂ画面を表示する端末装置に関する。
【背景技術】
【０００２】
従来より、テレビ受像機に課金装置を接続し、コインが投入されることに応じて、所定時間テレビ画面の表示を可能とするテレビの課金システムが存在する。
【発明の開示】
【発明が解決しようとする課題】
【０００３】
この発明は、ディスプレイにＴＶ画面やメニューバーを含む画面などを表示させることができる端末装置を提供することを目的としている。
【課題を解決するための手段】
【０００４】
上記目的を達成するためこの発明のある局面に従うと、端末装置は、ブラウザ機能と、ブラウザ上にテレビ画面を貼付けるピクチャインピクチャ機能を内蔵した端末装置であって、装置全体の制御を行なうＣＰＵと、ＴＶチューナと、メニューバーを含む画面を記憶する記憶手段と、ピクチャインピクチャ機能により、ディスプレイに、記憶手段に記憶させたメニューバーを含む画面と、テレビ映像画面とを表示し、メニューバー内にバナー広告としてインターネットから得られた画面を表示し、かつインターネットの接続が不良である場合には代替画面を表示する表示手段とを備える。
【０００５】
好ましくは表示手段は、ユーザからの指示により、テレビ画面のみの映像またはＷｅｂ画面を表示する。
【０００６】
この発明の他の局面に従うと、端末装置は、ブラウザ機能と、ブラウザ上にテレビ画面を貼付けるピクチャインピクチャ機能を内蔵した端末装置であって、装置全体の制御を行なうＣＰＵと、ＴＶチューナと、メニューバーを含む画面を記憶する記憶手段と、ピクチャインピクチャ機能により、ディスプレイに、記憶手段に記憶させたメニューバーを含む画面と、テレビ映像画面とを表示する表示手段と、入力ラインとを備え、入力ラインの信号は、ディスプレイに表示されている番組を示し、入力ラインの信号とグループ分けとに応じて、その番組に対応するグループの課金体系を採用する手段と、採用されたグループの課金体系に基づいて、受付手段で課金を行なう課金手段とを備える。
【発明を実施するための最良の形態】
【０００７】
図１は、本発明の実施の形態の１つにおけるテレビおよびインターネット課金システムの構成を示す図である。図を参照して、課金システムは、ディスプレイ１００と、端末本体２００と、プリペイドカードリーダ３００とから構成されている。
【０００８】
ディスプレイ１００には、スイッチや入力装置などを含むテレビパネルが設けられている。ディスプレイ１００に電源を供給するための電源プラグ１０２は、カードリーダ３００に接続される。これにより、ディスプレイ１００への電源の供給を、カードリーダ３００で制御することができる。
【０００９】
ディスプレイ１００と端末本体２００とは、２本のコードにより互いに接続されている。これらのコードは、端末本体２００からディスプレイ１００へ映像／音声信号を送るためのものである。
【００１０】
端末本体２００には、受光部（赤外線リモコンセンサ）２０２が設けられている。これにより、ユーザはリモコンにより端末本体２００を介して、ディスプレイ１００の表示を切換えたり、ＵＲＬなどを入力することができる。
【００１１】
端末本体２００には、アンテナからの入力端子ＡＮＴ、オーディオ／ビジュアル入力端子ＡＶ、ＬＡＮの接続端子ＬＡＮが設けられている。また、端末本体２００の電源プラグ２０４は、ＡＣコンセントに接続され、端末本体２００には常時電源が供給される。
【００１２】
端末本体２００とカードリーダ３００とは、パラレルポートおよびワイヤードリモコンポートを介して接続される。これにより、カードリーダ３００から端末本体２００へ、カードリーダ３００に投入されている残金の情報が送られる。また、端末本体２００からカードリーダ３００へ、ディスプレイ１００の表示内容に応じた課金に関する情報（たとえば有料／無料の情報や単位時間当りの課金金額など）が送られ、これに基づいてカードリーダ３００ではプリペイドカードの残り度数を減算する処理などが行なわれる。
【００１３】
端末本体２００は、チューナを内蔵しているため、ユーザはディスプレイ１００を用いてテレビ放送とインターネットによるＷｅｂ画面とを同時に閲覧することができる。すなわち、端末本体２００内にはブラウザ機能が内蔵されている。このブラウザはピクチャインピクチャ機能を有し、ブラウザ上にテレビ画面を貼付けることができる。
【００１４】
なお、ディスプレイ１００に表示される初期画面は、端末本体２００内のＲＯＭに記憶される。ここでは、初期画面はテレビ（ＴＶ）＋バナー広告画面であるものとする。
【００１５】
カードリーダ３００から端末本体２００へは、課金可能／不可能の情報が送られる。課金不可能な場合には、ユーザはディスプレイ１００を介して無料コンテンツのみ視聴可能である。一方、課金可能時にはユーザはすべてのコンテンツを視聴可能である。
【００１６】
端末本体２００からカードリーダ３００へは、ディスプレイ１００に表示されている画面（ＴＶ、ＴＶ＋Ｗｅｂ、Ｗｅｂなど）の情報、待機中であるか否か、視聴チャンネル（テレビ視聴中の場合）、およびコンテンツの有料／無料の区別が送信される。
【００１７】
カードリーダ３００に対して送られた情報は、たとえば１時間おきに、および電源オフ時にログとしてＬＡＮを介してサーバに送られる。
【００１８】
なお、端末本体２００としては独自のハードウェアを用いてもよいし、パーソナルコンピュータを端末本体２００として用いてもよい。この場合、パーソナルコンピュータに記憶されたプログラムが動作することにより、後述する課金制御処理が行なわれる。
【００１９】
図２は、図１の端末本体２００の詳しい構成を示すブロック図である。図を参照して、端末本体２００は、装置全体の制御を行なうＣＰＵ２０６と、赤外線リモコンセンサ２０２と、ＴＶチューナ２０８と、アンテナ入力端子２１０と、外部ＡＶ入力端子２１２と、ＡＶ出力端子２１４と、入力／出力の切換を行なうスイッチ２２２と、外部コントロール端子２１６と、ＬＡＮ端子２１８と、電源回路２２０と、電源プラグ２０４とを備えている。
【００２０】
ユーザはリモコン２５０を介して赤外線リモコンセンサ２００に指示を送ることができる。また、ビデオデッキ１５０（またはＤＶＤプレーヤーその他の機器）からの情報が外部ＡＶ入力端子２１２に入力される。
【００２１】
ディスプレイ１００へはＡＶ出力端子２１４を介して映像／音声信号が出力される。
【００２２】
本実施の形態においては、ユーザがディスプレイに表示させている画面の内容に応じて、課金方法が変えられる。具体的には、ユーザがインターネットのホームページを見ているのか、無料のホームページ（たとえば病院などの特定施設内における案内やお知らせなど）を見ているのか、テレビを見ているのか、バナー広告付きのテレビ画面を見ているのかによって料金が変更される。
【００２３】
図３は、ディスプレイ１００の表示内容を示す図である。ディスプレイ１００には、テレビ映像を画面一杯に表示するＴＶ（テレビ）画面と、縮小したテレビ画像にバナー広告などを付加して表示するＴＶ＋Ｗｅｂ（ウェブ）画面と、インターネットからのホームページなどを表示するＷｅｂ画面のうちのいずれかが表示される。
【００２４】
また、スタンバイ（STANBY）時には、ディスプレイには何も表示されない。
【００２５】
図４は、図３のＴＶ＋Ｗｅｂ画面、またはＷｅｂ画面の構成を示す図である。図を参照して、画面の上部分には、メニューバーが表示されている。
【００２６】
メニューバー内の「ＴＶ」ボタンをユーザが選択すると、メニューバーの下にテレビ画面が表示される。また、メニューバーの「メニュー」ボタンをユーザが選択すると、メニューバーの下にメニューリスト画面が表示される。
【００２７】
ユーザが「←」ボタンを押すと、１つ前の画面に戻り、ユーザが「→」ボタンを押すと、１つ先の画面に進む。
【００２８】
また、広告バナーをユーザが選択すると、メニューバーの下にそのバナーにより指定されるサイトのホームページが指定される。
【００２９】
図５は、ＣＰＵ２０６内に存在するＲＯＭ内に格納される画面データ（１）を示す図である。図を参照して、ＲＯＭ上画面（１）として、メニューバー等を含む画面が記憶される。またＲＯＭには代替画像Ａと代替画像Ｂとが記録されている。
【００３０】
メニューバーには、通常はバナー広告などが表示されるが、ネットワークに接続できないときなどにはこれら代替画面Ａ，Ｂがエラー表示の代わりにメニューバーに表示される。
【００３１】
図６は、ＣＰＵ２０６内のＲＯＭに格納される画面データ（２）を示す図である。この画面データはプリペイドカードの度数が不足しているときに表示されるものである。すなわち、プリペイドカードの度数が不足しているときにはディスプレイの中央部に「カードの度数が不足しています。」とのメッセージが表示される。
【００３２】
図７は、ＣＰＵ２０６内のＲＯＭに格納される画面データ（３）を示す図である。この画面データは、ネットワークに接続できない場合に表示されるものである。すなわちネットワークに接続できない場合には、「ネットワークに接続できません。しばらくしてからやり直すか、配線を確認して下さい。」のメッセージがディスプレイに表示される。
【００３３】
図８は、端末本体２００からカードリーダ３００へ送られる信号と、そのときの状態およびカードリーダ３００の動作を示す図である。
【００３４】
入力ラインが“１”であり、信号００００  ０００１がカードリーダ３００へ送られるときは、ディスプレイ１００に、ＴＶ１グループの番組が表示されていることを示している。このとき、カードリーダはグループ１の課金体系（料金）を採用し、プリペイドカードからの料金引落しを行なう。なお、このとき電源プラグ１０２によりディスプレイ１００へ電源が供給される（リレーオン）。
【００３５】
同様にして入力ラインが“２”〜“８”であるときには、図８に示される信号がそれぞれカードリーダ３００へ送られる。入力ラインの信号が“２”〜“８”のそれぞれであるときには、端末本体２００の状態は、ＴＶ２グループ、ＴＶ３グループ、ＴＶ＋Ｗｅｂ１グループ、ＴＶ＋Ｗｅｂ２グループ、ＴＶ＋Ｗｅｂ３グループ、Ｗｅｂ１グループ、Ｗｅｂ２グループの内容が表示されているものであることを示している。
【００３６】
また、入力ラインの信号の“２”〜“８”に対応してカードリーダは、グループ２、グループ６、グループ３、グループ４、グループ７、グループ５、グループ８の課金体系を採用し、プリペイドカードからの料金引落しを行なう。なお、入力ラインが“２”〜“８”であるとき、すべて電源プラグ１０２によりディスプレイ１００が電源が供給される（リレーオン）。
【００３７】
なお、ここではグループ６〜８の料金は無料（初期値）としている。
【００３８】
なお、入力ラインに信号が送られていないときには、端末本体２００はスタンバイ状態であることを示し、カードリーダはディスプレイ１００へ電源を供給しない（リレーオフ）。
【００３９】
図９は、カードリーダ３００から端末本体２００へ送られる信号を示す図である。図を参照して、信号の１／０により、プリペイドカード（有料カード）の度数の有り／なしを端末本体２００へ伝えることができる。
【００４０】
このような構成によりディスプレイ１００に以下のような表示を行なうことができる。
【００４１】
ユーザからの指示がＴＶ表示であるとき、ディスプレイにはテレビ画面のみの映像が表示される（図３のＴＶ）。このとき端末本体２００は、カードリーダの入力ラインに、１、２または３の信号を出力する。カードリーダ３００は、入力信号に応じたグループ課金を行なう。また、課金金額と挿入されているプリペイドカードの残り度数とを確認し、端末本体２００へ視聴許可信号（１／０）を出力する。
【００４２】
なお、課金グループが「無料」である場合には、プリペイドカードが挿入されていない状態においても、視聴は可能である。
【００４３】
ユーザからの指示が、ＴＶ＋Ｗｅｂ（図３参照）であるとき、画面にはＷｅｂブラウザの表示が行なわれ、その中にＴＶの映像が貼付けられる。このとき、端末本体２００は、カードリーダ３００の入力ラインに、４、５または６の信号を出力する。
【００４４】
ユーザからの指示がＷｅｂであるとき、ディスプレイにはＷｅｂ画面が表示される。このとき、端末本体２００は、カードリーダの入力ラインに、７または８の信号を出力する。
【００４５】
また、スタンバイ状態においては、カードリーダ３００の入力ラインへ信号は送られず、ディスプレイはオフ（消灯）とされる。
【００４６】
なお、表示されているＷｅｂ画面のグループの判定は、ＵＲＬを識別することにより行なうとよい。または、図１０に示されるように、ＨＴＭＬ文書のヘッダ部分に、グループを特定するための情報を記録しておき、そのヘッダを分析することによって、グループを決定するようにしてもよい。
【００４７】
図１１は、無料テレビ番組が混在する場合のディスプレイ１００の表示内容を説明するための図である。
【００４８】
システムを起動させたときには、画面にはＲＯＭに記録された画面（１）（図５）が表示される。すなわち、無料のテレビ映像画面と、メニューバーとがディスプレイには表示される。
【００４９】
このとき、メニューバー内のバナー広告として、インターネットから得られた画面が表示されるが、インターネットの接続が不良である場合には前回表示されたバナー（または代替画像ＡまたはＢ）が表示される。
【００５０】
ユーザがテレビの無料チャンネルから有料チャンネルへの変更を行なったのであれば、カード度数があれば、指定されたチャンネルが表示される。一方、カード度数がない場合には、ＲＯＭに記録された画面（２）（図６）が表示され、カード度数が不足している旨ユーザに通知する。このとき、画面（２）の表示が数秒間行なわれた後に起動時の画面に戻る。また、インターネットの接続が不良である場合にも、カード度数の有無に応じて同様の表示を行なう（ただしバナー広告に関しては、起動時のインターネットに接続不良の場合と同様の表示を行なう）。
【００５１】
ユーザがメニューボタンを選択することで無料コンテンツを表示させる指示が出された場合には、カードの度数の有無にかかわらず、Ｗｅｂの無料ページ画面が表示される。なお、ネットに接続できない場合には、ＲＯＭに記録された画面（３）（図７）が表示され、ユーザにその旨通知する。
【００５２】
ユーザが有料コンテンツの視聴を希望した場合には、カードの度数が存在するときにはＷｅｂの有料ページが表示される。一方カード度数がない場合にはＲＯＭの画面（２）が表示される。ネットに接続できない場合には、ＲＯＭの画面（３）が表示される。
【００５３】
図１２は無料テレビ番組がない場合のディスプレイ１００の表示を示す図である。
【００５４】
図を参照して、システムの起動時においてカード度数があれば、ＴＶ＋Ｗｅｂ画面を表示する。このとき、表示するチャンネルとして前回表示されていたチャンネルを表示する。一方、カード度数がない場合には、ＲＯＭの画面（２）を表示する。ネットに接続できない場合にも、カード度数の有無に応じて同様の処理を行なう。
【００５５】
メニューボタンにより無料コンテンツまたは有料コンテンツが選択された場合には、図１１と同様の処理が行なわれる。
【００５６】
また、ユーザによりテレビ１００％の画面を出力する旨指示されたのであれば、カード度数があればＴＶ画面を表示し、カード度数がなければＲＯＭの画面（２）を表示する。ネットに接続不良であればカード度数の有無に応じて同様の処理を行なう。
【００５７】
なお、図１３を参照して、Ｗｅｂを閲覧していた状態からＴＶボタンが押下されたときには、カード度数があればＲＯＭの画面（１）を表示する。このとき、表示されるＴＶのチャンネルとしては、前回表示されていたものが表示される。なお、前回表示されていたチャンネルが無料である場合には、図１１の起動時の画面に移行する。また、カード度数が不足している場合には、ＲＯＭの画面（２）が表示され、数秒後無料チャンネルの表示（図１１の起動時の表示）を行なう。
【００５８】
以上のように本実施の形態においては、ディスプレイにＴＶ画面および／またはＷｅｂ画面を表示させることができ、その表示内容に応じた課金を行なうことができるという効果がある。
【００５９】
なお、上述の実施の形態においては、プリペイドカードを投入させることで対価を受付けることとしたが、これに代えて紙幣やコインやキャッシュカードやデビットカードなどを用いて、対価の受付けを行なうことにしてもよい。
【００６０】
なお、上述の実施の形態に限らず本発明はネットワーク環境に接続されていないシステムにも適用することができる。
【００６１】
また、上述の課金方法を実行するプログラムを提供することもできるし、そのプログラムをＣＤ−ＲＯＭ、フロッピー（登録商標）ディスク、ハードディスク、ＲＯＭ、ＲＡＭ、メモリカードなどの記録媒体に記録してユーザに提供するようにしてもよい。
【００６２】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００６３】
【図１】本発明の実施の形態の１つにおけるテレビおよびインターネット課金システムの構成を示す図である。
【図２】図１の端末本体２００の構成を示すブロック図である。
【図３】ディスプレイ１００に表示される画面を示す図である。
【図４】メニューバーを説明するための図である。
【図５】ＲＯＭ上の画面（１）を示す図である。
【図６】ＲＯＭ上の画面（２）を示す図である。
【図７】ＲＯＭ上の画面（３）を示す図である。
【図８】端末本体２００からカードリーダ３００へ送られる信号を説明するための図である。
【図９】カードリーダ３００から端末本体２００へ送られる信号を説明するための図である。
【図１０】Ｗｅｂページのグループを判定する方法を説明するための図である。
【図１１】画面の表示例を示す図である。
【図１２】画面の表示例を示す図である。
【図１３】画面の表示例を示す図である。
【符号の説明】
【００６４】
１００  ディスプレイ、２００  端末本体、２０８  ＴＶチューナ、２１０  アンテナ入力端子、２１２  外部ＡＶ入力端子、２１４  ＡＶ出力端子、２１６  外部コントロール端子、２１８  ＬＡＮ端子、２２０  電源回路、３００  カードリーダ。
【図１】
2005176403.tif 000003
【図２】
2005176403.tif 000004
【図３】
2005176403.tif 000005
【図４】
2005176403.tif 000006
【図５】
2005176403.tif 000007
【図６】
2005176403.tif 000008
【図７】
2005176403.tif 000009
【図８】
2005176403.tif 000010
【図９】
2005176403.tif 000011
【図１０】
2005176403.tif 000012
【図１１】
2005176403.tif 000013
【図１２】
2005176403.tif 000014
【図１３】
2005176403.tif 000015